(57)【要約】【課題】プレゼンタ機能を備えたサーマルプリンタ装置の小型化を実現することを目的とする。【解決手段】クラムシェルタイプであり、装置フレーム１１と、サーマルプリンタメインモジュール２０と、感熱紙ロール収容部用蓋４０と、サーマルプリンタサブモジュール６０とを有する。プレゼンタユニット部４１が蓋４０の上面に設けてある。プレゼンタユニット部４１の用紙搬送ローラ６３Ｘ１，６３Ｘ２は、サーマルプリンタメインモジュール２０のモータ２２の回転を伝達されて回転される。【選択図】図１
2007130842.tif 000002
【特許請求の範囲】
【請求項１】
用紙ロール収容部を有する本体と、閉じられて前記用紙ロール収容部を覆う蓋とを有し、該蓋が閉じられた状態で、印字部が形成される構成のプリンタ装置であって、
該蓋に、印字された紙を収容し且つカットされたカット紙を外部に送り出すプレゼンタユニット部を備えた構成としたことを特徴とするプリンタ装置。
【請求項２】
用紙ロール収容部を有する本体と、閉じられて前記用紙ロール収容部を覆う蓋とを有し、該蓋が閉じられた状態で、印字部及びカッタ部が形成される構成のプリンタ装置であって、
該蓋に、印字された紙を収容し且つ前記カッタ部によってカットされたカット紙を外部に送り出すプレゼンタユニット部を備えた構成としたことを特徴とするプリンタ装置。
【請求項３】
請求項１又は請求項２に記載のプリンタ装置において、
前記プレゼンタユニット部は、前記蓋の上側に配置されて前記蓋との間にカット紙を収容するための収容部を形成する収容部形成部材と、前記収容部内のカット紙を搬送させるカット紙搬送ローラとを有する構成であることを特徴とするプリンタ装置。
【請求項４】
請求項３に記載のプリンタ装置において、
前記収容部形成部材は、前記蓋に対して開閉可能である構成であることを特徴とするプリンタ装置。
【請求項５】
請求項１又は請求項２に記載のプリンタ装置において、
前記カット紙搬送ローラは、前記収容部形成部材の下面に当接して配置してある構成としたことを特徴とするプリンタ装置。
【請求項６】
請求項１又は請求項２に記載のプリンタ装置において、
前記収容部形成部材は、透明である構成としたことを特徴とするプリンタ装置。
【請求項７】
請求項１又は請求項２に記載のプリンタ装置において、
前記蓋は、指先が入る操作開口を有する構成としたことを特徴とするプリンタ装置。
【請求項８】
請求項１に記載のプリンタ装置において、
前記本体側にモータが設けてあり、
前記蓋は、回動して開閉される構成であり、
前記印字部は、前記本体に取り付けてあるサーマルヘッドと、前記蓋に取り付けてあるプラテンローラとよりなり、前記蓋が回動して閉じられた状態で、前記プラテンローラが前記サーマルヘッドに当接して形成される構成であり、
前記蓋が回動して閉じられた状態で形成され、該モータの回転を前記プラテンローラ及びカット紙搬送ローラに伝達する回転伝達経路を有し、
前記プラテンローラ及びカット紙搬送ローラが前記モータによって回転される構成としたことを特徴とするプリンタ装置。
【請求項９】
請求項２に記載のプリンタ装置において、
前記本体側にモータが設けてあり、
前記蓋は、回動して開閉される構成であり、
前記印字部は、前記本体に取り付けてあるサーマルヘッドと、前記蓋に取り付けてあるプラテンローラとよりなり、前記蓋が回動して閉じられた状態で、前記プラテンローラが前記サーマルヘッドに当接して形成される構成であり、
前記カッタ部は、前記本体側の固定刃と前記蓋に取り付けてある可動刃とにして形成される構成であり、
前記蓋が回動して閉じられた状態で形成され、該モータの回転を前記プラテンローラ及びカット紙搬送ローラ及び可動刃に伝達する回転伝達経路を有し、
前記プラテンローラ及びカット紙搬送ローラが前記モータによって回転され、且つ前記可動刃が前記モータによって移動される構成としたことを特徴とするプリンタ装置。
【請求項１０】
請求項９に記載のプリンタ装置において、
前記プレゼンタユニット部から送り出されるカット紙を案内するガイド部材を有し、
該ガイド部材が前記可動刃によって押されて向きを変えられる構成としたことを特徴とするプリンタ装置。
【請求項１１】
請求項９に記載のプリンタ装置において、
紙をカットする方向に移動された可動刃を係止する部材を有し、
前記可動刃が紙をカットした後もその位置に留まるようにしたことを特徴とするプリンタ装置。
【発明の詳細な説明】
【技術分野】
【０００１】
本発明はプリンタ装置に係り、特にプレゼンタ機能を備えたプリンタ装置に関する。
【０００２】
プレゼンタ機能とは、カットされた印字済み用紙を外部に送り出して排出する機能をいう。
【背景技術】
【０００３】
商店のキャッシュレジスタにはレシート発行プリンタ装置が組み込んである。店員の作業効率の向上のためには、レシート発行プリンタ装置は、レシートをカットし、カットされたレシートを外部に送り出すプレゼンタ機能を備えたものであることが望ましい。
【０００４】
一方、キャッシュレジスタはサイズが限られており、プレゼンタ機能を備えたレシート発行プリンタ装置は小型であることが望ましい。
【０００５】
従来のプレゼンタ機能を備えたプリンタ装置は、プレゼンタ機能を有するプレゼンタユニットを、プリンタ装置に併設した構成である。
【発明の開示】
【発明が解決しようとする課題】
【０００６】
このため、プリンタ装置のサイズが大型となってしまい、キャッシュレジスタの内部に組み込むには不向きであった。
【０００７】
本発明は、上記の点に鑑みてなされたプリンタ装置を提供することを目的とする。
【課題を解決するための手段】
【０００８】
本発明は、用紙ロール収容部を有する本体と、閉じられて前記用紙ロール収容部を覆う蓋とを有し、該蓋が閉じられた状態で、印字部が形成される構成のプリンタ装置であって、該蓋に、印字された紙を収容し且つカットされたカット紙を外部に送り出すプレゼンタユニット部を備えた構成としたことを特徴とする。
【発明の効果】
【０００９】
本発明によれば、プレゼンタユニット部が配されている場所が用紙ロール収容部を覆う蓋であるため、プリンタ装置を小型に構成することが出来る。
【発明を実施するための最良の形態】
【００１０】
次に本発明の実施の形態について説明する。
【実施例１】
【００１１】
［プリンタ装置２０の構成］
図１は本発明の実施例1になるプレゼンタ機能付きサーマルプリンタ装置１０の概略構成を示し、図２（Ａ）乃至（Ｄ）はプリンタ装置２０の動作を示す。図３は本発明の実施例1になるプリンタ装置１０を示す。図４はサーマルプリンタメインモジュール２０とサーマルプリンタサブモジュール６０とを対応させて示す。図４はモータの回転の伝達ギヤ機構を示す。Ｘ１−Ｘ２はプリンタ装置１０の幅方向、Ｙ１−Ｙ２は長手方向、Ｚ１−Ｚ２は高さ方向である。
【００１２】
図１及び図３に示すように、プリンタ装置２０は、サーマルプリンタであり、クラムシェルタイプであり、プレゼンタユニット部４１を感熱紙ロール収容部用蓋（サブモジュール保持金具）４０の上面に設けた構成である。よって、プリンタ装置２０は、従来のクラムシェルタイプのプリンタ装置に、プレゼンタユニット部４１の分の高さＨが蓋４０の上側に追加されただけであり、プレゼンタ機能を備えた状態で小型化が図られている。
【００１３】
図１及び図３に示すように、サーマルプリンタ装置２０は、装置フレーム１１と、サーマルプリンタメインモジュール２０と、プレゼンタユニット部４１を備えた感熱紙ロール収容部用蓋（サブモジュール保持金具）４０と、サーマルプリンタサブモジュール６０とを有する。
【００１４】
図１及び図３に示すように、装置フレーム１１は、感熱紙ロール１を収容する感熱紙ロール収容部１２を有する。
【００１５】
図１、図３、図４に示すように、サーマルプリンタメインモジュール２０は、フレーム２５に、サーマルヘッド２１、用紙搬送用ステッピングモータ２２、カッタ駆動用ステッピングモータ２３、固定刃２４、ロック部材２６等が取り付けてある構成であり、装置フレーム１１に取り付けてある。
【００１６】
図１及び図３に示すように、感熱紙ロール収容部用蓋（サブモジュール保持金具）４０は、軸４２によって外装蓋４３に取り付けてあり、閉じた状態で、感熱紙ロール収容部１２を覆っている。
【００１７】
プレゼンタユニット部４１は、蓋４０の上面側に設けてあり、蓋４０と収容部形成部材としての外装蓋４３とを有し、蓋４０と外装蓋４３との間に、レシートを収容するための狭い偏平な空間であるレシート収容部４４を有する構成である。プレゼンタユニット部４１のＹ２側は排出口４６であり、Ｙ１側も開口４７である。プレゼンタユニット部４１は、図６に示すように、軸４５を中心に装置フレーム１１に対して回動して開閉される。
【００１８】
プレゼンタユニット部４１の外装蓋４３は、単独で、図７に示すように、軸４５を中心に蓋４０に対して回動して開閉される。外装蓋４３は半透明である。蓋（サブモジュール保持金具）４０は、用紙排除操作開口４０ａを有する（図７参照）。
【００１９】
なお、蓋（サブモジュール保持金具）４０は、その先端側に後述するフレーム６５を一体的に有する構成でもよい。
【００２０】
図１及び図４に示すように、サーマルプリンタサブモジュール６０は、フレーム６５に、プラテンローラ６１、可動刃６２、用紙搬送ローラ６３Ｘ１，６３Ｘ２等が取り付けてある構成であり、蓋４０の先端に取り付けてある。用紙搬送ローラ６３Ｘ１，６３Ｘ２は外装蓋４３の下面に当っている。
【００２１】
図５に示すように、サーマルプリンタメインモジュール２０には、Ｘ２側にギヤ３０、３１設けてあり、Ｘ１側にギヤ３２、３３が設けてある。ギヤ３０はモータ２２のスピンドルのギヤ２２ａにかみ合っており、ギヤ３１はギヤ３０にかみ合っている。ギヤ３１はモータ２３のスピンドルのギヤ２３ａにかみ合っており、ギヤ３３はギヤ３２にかみ合っている。
【００２２】
サーマルプリンタサブモジュール６０のＸ２側についてみると、プラテンローラ６１の軸７０にギヤ７１が設けてある。ギヤ７１と軸７０との間には、一方向クラッチ７２が設けてある。一方向クラッチ７２は、ギヤ７１の時計方向（Ｃ方向）の回転を軸７０に伝達し、ギヤ７１が反時計方向（ＣＣ方向）に回転するときには、その回転を軸７０に伝達しないように動作する。用紙搬送ローラ６３の軸の端にはギヤ７３が固定してある。ギヤ７４はギヤ７１とギヤ７３との間に位置して、両者にかみ合っている。
【００２３】
サーマルプリンタサブモジュール６０のＸ１側についてみると、プラテンローラ６１の軸７０にギヤ７５が自由に回転するように設けてある。
【００２４】
また、軸７６の両端にギヤ７７Ｘ１，７７Ｘ２が固定してある。可動刃６２のＸ１側の下面にはラック７８Ｘ１が、Ｘ２側の下面にはラック７８Ｘ２が夫々固定してある。ギヤ７７Ｘ１はギヤ７５とラック７８Ｘ１とにかみ合っており、ギヤ７７Ｘ２はラック７８Ｘ２にかみ合っている。
【００２５】
なお、用紙搬送ローラ６３Ｘ１，６３Ｘ２は、収容された感熱紙ロール１よりもＹ１側の位置に、外装蓋４３との間で用紙を挟む位置関係で配置することも可能である。
［感熱紙ロール１の装着操作］
上記構成のプリンタ装置２０は、キャッシュレジスタ内に組み込まれており、以下のように操作して、感熱紙ロール１を装着する。
【００２６】
レジ担当者は、プレゼンタユニット部４１を、図２（Ａ）に二点鎖線で示すように及び図６に示すように開いて、感熱紙ロール収容部１２内に感熱紙ロール１を収容し、感熱紙２を引き出し、プレゼンタユニット部４１を閉じ、プラテンローラ６１よりも上方に出ている感熱紙を引っ張って固定刃２４でカットする。プラテンローラ６１の軸７０がロック部材２６に嵌合して係止されて、蓋４０はロックされ、サーマルプリンタサブモジュール６０がサーマルプリンタメインモジュール２０に結合されて、ギヤ７１がギヤ３１とかみ合い、ギヤ７５がギヤ３３とかみ合い、感熱紙２の先端がプラテンローラ６１とサーマルヘッド２１との間に挟まれ、可動刃６２が固定刃２４に対向した状態となる。プラテンローラ６１とサーマルヘッド２１とによって印字部が形成され、可動刃６２と固定刃２４とによってカッタ部が形成される。上記の感熱紙のカットを、カッタ駆動用ステッピングモータ２３を駆動させ可動刃６２を動かして行なってもよい。
【００２７】
図１に拡大して示すように、蓋４０のＹ２端部４０ａはサーマルヘッド２１よりもＹ１側に位置している。外装蓋４３のＹ２端部４３ａは、蓋４０のＹ２端部４０ａよりもＹ２側に位置しており、且つ、サーマルヘッド２１よりもＹ２側に位置している。
［プリンタ装置２０の動作］
感熱紙ロール１が装着されている状態で、制御装置（図示せず）から、印字指令、レシートカット指令、レシート送り出し指令が順に送られてくる。
【００２８】
印字指令があると、図２（Ｂ）に示すように、サーマルヘッド２１が駆動され、用紙搬送用ステッピングモータ２２が駆動されて正転し、ギヤ３０、３１、７１、一方向クラッチ７２を経てプラテンローラ６１が時計方向（Ｃ方向）に回転され、更にギヤ７４，７３を介して用紙搬送ローラ６３Ｘ１，６３Ｘ２が時計方向（Ｃ方向）に回転される（図５参照）。これによって、感熱紙２に印字がなされ、レシート３が形成され、レシート３がプラテンローラ６１によって送り出される。レシート３の先端は、時計方向にカールされつつ、Ｚ１方向より少しＹ１側に傾斜した方向に送り出され、外装蓋４３のＹ２端部４３ａの下面に当り、外装蓋４３によって案内されてＹ１方向に進む。即ち、プラテンローラ６１によって送り出されたレシート３の先端は自動的にプレゼンタユニット部４１の内部に入る。Ｙ１方向に進んだレシート３の先端は、用紙搬送ローラ６３Ｘ１，６３Ｘ２と外装蓋４３との間に挟まれ、以後は、回転する用紙搬送ローラ６３Ｘ１，６３Ｘ２によってＸ１方向に搬送され、プレゼンタユニット部４１のレシート収容部４４の内部に送り込まれる。印字面はＺ１側であり、外装蓋４３は半透明であるので、操作者は印字が正常になされていることをこの段階で確認することが出来る。
【００２９】
プレゼンタユニット部４１のＹ１側が開口４７であるため、レシート３が長くなった場合にはレシート３の先端は開口４７より突き出し、レシート３が長くなっても問題はない。
【００３０】
印字指令が終了すると、レシートカット指令によって、カッタ駆動用ステッピングモータ２３が駆動され、ギヤ３２、３３、７５、７７Ｘ１、７７Ｘ２を経て両側のラック７８Ｘ１、７８Ｘ２が駆動され、可動刃６２がＹ２方向に移動され、図２（Ｃ）に示すように、レシート３の終端がカットされ、カット済みレシート４となる。可動刃６２はＹ１方向に移動されて元の位置に戻される。
【００３１】
カット指令に続いて、レシート送り出し指令が入力されると、用紙搬送用ステッピングモータ２２が駆動されて逆転し、ギヤ３０、３１、７１、７４，７３を介して用紙搬送ローラ６３Ｘ１，６３Ｘ２が反時計方向（ＣＣ方向）に回転される。一方向クラッチ７２は回転を伝達せず、プラテンローラ６１は回転しない。図２（Ｄ）に示すように、用紙搬送ローラ６３Ｘ１，６３Ｘ２の上記回転によって、カット済みレシート４はＸ２方向に搬送され、排出口４６よりプレゼンタユニット部４１のレシート収容部４４の外にＸ２方向に送り出されて排出される。
【００３２】
レジ担当者は、プレゼンタユニット部４１から排出されたカット済みレシート４を手にとる。
【００３３】
次回の印字指令の場合にも、プラテンローラ６１によって送り出されたレシート３の先端は最初の場合と同じく自動的にプレゼンタユニット部４１の内部に入る。続いて、最初の場合と同じく、レシートのカット、カット済みレシートの送り出しが行なわれる。
【００３４】
なお、カット済みレシート４がレシート収容部４４内でジャムった場合には、操作者は、図７に示すように、外装蓋４３を開くことによって、ジャムったカット済みレシート４を取り出すことが出来る。また、蓋４０を開いて、裏面に指を差し込み、指先を用紙排除操作開口４０ａに差し込んで動かすことによって、カット済みレシート４を平らに直すことも出来る。
【００３５】
なお、図１及び図２は、プリンタ装置２０をデスクトップに設置した状態を示す。
【００３６】
また、上記のプリンタ装置は、蓋４０を閉じたときにカッタ部が形成される構成に限らず、カッタ装置を装置フレーム１１に設けた構成でもよい。また、プレゼンタユニット部４１を蓋４０の下面側に設ける構成としてもよい。
【実施例２】
【００３７】
図８（Ａ）は本発明の実施例２になるプリンタ装置１０Ａの概略構成を示す。プリンタ装置１０Ａは、図１に示すプリンタ装置１０に、カット済みレシートガイド部材８０が追加してあり、可動刃６２を使ってカット済みレシートガイド部材８０の向きを変える構成である。
【００３８】
カット済みレシートガイド部材８０は、サーマルプリンタメインモジュール２０に設けてあり、蓋４０が閉じられた状態で、排出口４６に対向する位置に水平の状態に且つ可動刃６２がＹ２方向に余分に移動した場合に可動刃６２によってＹ２方向に押されるように設けてあり、Ｙ２方向に押されるとカム機構（図示せず）によって図８（Ｂ）に示すように立ち上がる構成である。
【００３９】
また、レシートカット指令とレシート送り出し指令との間に、送り出し方向変更指令が入力された場合、即ち、レシートカット指令に続いて送り出し方向変更指令が入力された場合には、カッタ駆動用ステッピングモータ２３が更に駆動されるようになっている。
【００４０】
通常は、図８（Ａ）に示すように、カット済みレシートガイド部材８０は水平の状態にあり、カット済みレシート４は排出口４６よりＸ２方向に送り出される。
【００４１】
レシートカット指令に続いて送り出し方向変更指令が入力された場合には、カッタ駆動用ステッピングモータ２３が更に駆動される。これによって、図８（Ｂ）に示すように、可動刃６２が通常よりもＹ２方向に長く移動され、可動刃６２がガイド部材８０をＹ２方向に押し、ガイド部材８０は立ち上がる。
【００４２】
これによって、続くカット済みレシート送り出し動作時に、カット済みレシート４は立ち上がっているガイド部材８０によって案内されて、Ｚ１方向に送り出される。
【００４３】
プリンタ装置１０Ａが図９に示すように縦向きでパネルマウントされている場合には、ガイド部材８０が立ち上がるようにされ、カット済みレシート４はキャッシュレジスタよりその前側に送り出される。この場合に、カット済みレシート４の裏面がレジ担当者に対向ｓすることになるけれども、レジ担当者は、レシート３がプレゼンタユニット部４１内に送り込まれた状態で、半透明な外装蓋４３を通して印字を確認することが可能であり、問題はない。
【実施例３】
【００４４】
図１０（Ａ）、（Ｂ）は本発明の実施例３になるプリンタ装置１０Ｂの概略構成を示す。プリンタ装置１０Ｂは、図１に示すプリンタ装置１０において、レシートカットに続くレシート送り出し中も、可動刃６２がＹ２方向に移動された位置に保たれるようにしてあり、且つ、プリンタ装置１０Ｂのケース９０がＹ２方向に移動した可動刃６２がケース９０の下面側に入り込むように設けてある構成である。
【００４５】
図１０（Ａ）に示すように、可動刃６２が通常の位置に位置している場合には、蓋４０は自由に開閉される。
【００４６】
しかし、レシートカットに続いてレシート送り出し動作が行われているときには、図１０（Ｂ）に示すように、可動刃６２がケース９０の下面側に入り込んでおり、ケース９０が可動刃６２をブロックしており、蓋４０を開く動作は制限され、蓋４０は閉じた状態に保たれる。
【００４７】
よって、レシート送り出し動作中にレジ担当者が誤って蓋４０を開く操作をした場合でも、蓋４０は開かず、プレゼンタユニット部４１は所定の姿勢を維持し、不都合は起きない。
【図面の簡単な説明】
【００４８】
【図１】本発明の実施例１になるプレゼンタ機能付きサーマルプリンタ装置の概略構成を示す図である。
【図２】図１のプレゼンタ機能付きサーマルプリンタ装置の動作を示す図である。
【図３】本発明の実施例１になるプレゼンタ機能付きサーマルプリンタ装置の斜視図である。
【図４】サーマルプリンタメインモジュールとサーマルプリンタサブモジュールとを対応させて示す図である。
【図５】モータの回転の伝達経路を示す図である。
【図６】蓋が開かれた状態のサーマルプリンタ装置を示す斜視図である。
【図７】外装窓が開かれた状態のサーマルプリンタ装置を示す斜視図である。
【図８】本発明の実施例２になるプレゼンタ機能付きサーマルプリンタ装置の概略構成を示す図である。
【図９】図８（Ａ）のプリンタ装置がパネルマウントされている状態を示す図である。
【図１０】本発明の実施例３になるプレゼンタ機能付きサーマルプリンタ装置の概略構成を示す図である。
【符号の説明】
【００４９】
１  感熱紙ロール
２  感熱紙
３  レシート
４  カット済みレシート
１０、１０Ａ，１０Ｂ  プレゼンタ機能付きサーマルプリンタ装置
１１  装置フレーム
１２  感熱紙ロール収容部
２０  サーマルプリンタメインモジュール
２１  サーマルヘッド
２２  用紙搬送用ステッピングモータ
２３  カッタ駆動用ステッピングモータ
２４  固定刃
２５  フレーム
２６  ロック部材
４０  感熱紙ロール収容部用蓋（サブモジュール保持金具）
４０ａ  用紙排除操作開口
４１  プレゼンタユニット部
４２  サブモジュール保持金具開閉軸
４５  プレゼンタユニット部開閉軸
４３  外装蓋
４４  レシート収容部
４６  排出口
４７  開口
６０  サーマルプリンタサブモジュール
６１  プラテンローラ
６２  可動刃
６３Ｘ１，６３Ｘ２  用紙搬送ローラ
６５  フレーム
７２  一方向クラッチ
８０  カット済みレシートガイド部材
９０  ケース
【図１】
2007130842.tif 000003
【図２】
2007130842.tif 000004
【図３】
2007130842.tif 000005
【図４】
2007130842.tif 000006
【図５】
2007130842.tif 000007
【図６】
2007130842.tif 000008
【図７】
2007130842.tif 000009
【図８】
2007130842.tif 000010
【図９】
2007130842.tif 000011
【図１０】
2007130842.tif 000012